(57)【要約】［課題］「太陽熱風力発電装置」を発明提案してきたが、これまでその理論的な発電能力の計算法が確定せず、そのため物になるものかならないものかはっきりせず、そのためどのような規模に設計建設すべきものかもはっきりしなかった。それをはっきりしたものにしたい。［解決手段］従来、煙突の流速は同体積の煙突の外気と内気の重さの差によって生じ決まると歴史的に考えられてきた。そこで改めて研究してみると、煙突の流れは対流現象であり、それは浮力の発生によって生じることが文献から判明し、その浮力は外気と内気の差の重さに起因するのではなく、内気が排除した外気の重さそのものであることが判った。即ち従来の計算思想は否定されるべきものであった。そこで新しい計算思想を創造し、それに基づいてこれは妥当だと言える発電能力の計算を成した。それを水力発電の発電能力の計算法と比較してみて、その妥当性を一応確信しえた。以上のような計算法で以て設計建設しうる「太陽熱風力発電装置」。【選択図】なし。【特許請求の範囲】
【請求項１】
太陽熱で以て次々に空気を暖め、その軽くなった空気を次々に煙突に流して人工的に風を造り、その風の吸口で吸込む力で以てタービン発電機を作動させて発電を行なう「太陽熱風力発電装置」を設計建設するにおいて、次のような技術的思想の創作によって設計建設する「太陽熱風力発電装置」。
「煙突は対流の現象として働き（「現代新百科事典４（５２２頁）（学研・１９６６年）」）」、その対流は、「流体内部のある区分が絶えずあたためられ、その温度が周囲よりも高くなると、この部分の流体は膨張により密度が小さくなり、浮力によって上昇し、周囲の低温度の流体がこれに代ってその区域に流入し、循環する流れが生じる（「岩波理化学辞典（７４２頁）（岩波書店・１９８７年）」）現象である。
太陽熱風力発電装置においては、暖まって軽くなった空気に浮力が生じ、それが煙突内を風となって流れる。その「浮力の大きさは物体が排除した流体の重さに等しい（「現代新百科事典６（７６頁）（学研・１９６６年）」）。即ち、この場合には、煙突内の空気が排除した体積と同じ体積の煙突外の空気の重さ（質量×重力加速度）そのものである。
従って、運動の第二法則「物体の受ける加速度αとその質量ｍの積は物体に働いている力Ｆに等しい（「現代新百科事典１（５３７頁）」）、即ちＦ＝ｍ×αにおいて、Ｆを浮力、ｍを内気の質量、αを内気の受ける加速度とすると、Ａｏ×ｇ＝Ａｉ×α（Ａｉは煙突内気の質量、Ａｏは内気と同体積の外気の質量、ｇは重力加速度、αは内気の受ける加速度）が成り立つ。
そして、煙突内気の流れは、初速度０の等加速度直線運動（「点が定加速度ａで原点から直線運動をするとき、時刻ｔにおける位置ｘ、速度ｖは、ｘ＝１／２×ａ×ｔ２、ｖ＝ａ×ｔ　で与えられる（「要訣物理（１００頁）（文英堂・１９５３年）」）」）であると見ると、それは、Ｈ＝１／２×α×Ｔ２、Ｖ＝α×Ｔ、と表わされる。従って、煙突内気の流速は、Ｖ＝（２×Ｈ×α）１／２＝（２×Ｈ×ｇ×Ａｏ／Ａｉ）１／２と表わされ、今、Ａｏ＝Ｋ／Ｋｏ×Ａ、Ａｉ＝Ｋ／Ｋｉ×Ａ　から、Ａｉ＝Ｋｏ／Ｋｉ×Ａｏ　であるから、従って、Ｖ＝（２×Ｈ×ｇ×Ｋｉ／Ｋｏ）１／２と表わされ、「煙突の通風力は、一般に煙突が高ければ高いほど、また外気の温度と燃焼室（ここでは内気）の温度の差が大きいほど増加する（「現代新百科事典１（６６５頁）」）」を満足する。
この流速で以て流れる煙突内の風で以て発電する場合、それはどのくらいのエネルギーとなるのであろうか。それは運動エネルギー（「物体が運動していることによるエネルギーで、速さｖで運動している質量ｍの物体の運動エネルギーは１／２×ｍ×ｖ２である（「現代新百科事典６（６２２頁）」）として求められる。そこで、煙突を１秒間に流れる内気の重さＭは、Ｍ＝Ｖ×Ｓ×Ａｉ（Ｓは煙突の断面積である）で表わされるので、１秒間の煙突の発電エネルギーＥは、Ｅ＝１／２×Ｍ×Ｖ２＝１／２×Ａｉ×Ｓ×Ｖ３＝１／２×Ａ×Ｋ／Ｋｉ×Ｓ×（２×Ｈ×ｇ×Ｋｉ／Ｋｏ）３／２で表わされることになる。この場合、変数はＫｉとＨであるから、これらを高くすれば好いのであるが、その加熱効果は３／２÷１＝０．５の０．５乗比であるのに対し、煙突効果のほうは３／２＝１．５の１．５乗比であり、加熱効果より煙突効果のほうが断然効果があることが判る。従って煙突は高くすればするほど飛躍的な効果があると言う俗説は正しく、またそう言う経験則はここにおいても証明されたと言えよう。
この発電エネルギーを得るためには、１秒間に流れる内気Ｍを加熱しなくてはならないが、その加熱に要する熱容量Ｑは、Ｑ＝Ｍ×ｃ×（Ｋｉ−Ｋｏ）＝Ａ×Ｋ／Ｋｉ×Ｓ×ｃ×（２×Ｈ×ｇ×Ｋｉ／Ｋｏ）１／２×（Ｋｉ−Ｋｏ）（ｃは空気の比熱である）となり、当然のことながら、煙突に流す空気の加熱は必要最小限に抑えるのが望ましいことが判る。
以上の発電エネルギー（出力）と加熱エネルギー（入力）との在り方からして、発電効率Ｅ／Ｑは、Ｅ／Ｑ＝Ｈ×ｇ×Ｋｉ／Ｋｏ÷〔ｃ×（Ｋｉ−Ｋｏ）〕となり、この場合、発電効率を上げるのには、加熱は可能な限り抑えて、煙突は出来るだけ高くするのが好いことが判る。
太陽熱は、大雑把に言って、１ｍ２当たり１ｋｗ来ている。従って、Ｑ÷（１ｋｗ／ｍ２）が必要な面積である。
そして、Ｖ×Ｓ／（Ｑ÷１ｋｗ／ｍ２）が加熱器の深さとなる。
以上が新しく「太陽熱風力発電装置」の設計建設のために創作された技術的思想である。
【発明の詳細な説明】
【０００１】
［発明の属する技術分野］
本発明は、太陽熱発電装置の一である「太陽熱風力発電装置」に煙突の流速の新しい計算思想を創作して与えて、その実用性が確実と見られるようになった「太陽熱風力発電装置」である。
【０００２】
［従来の技術］
私は昭和５７年（１９８２年）８月１０日付で「空気力発電システム」を出願している。幼少の折りから、煙突を付けた風呂竈の吸口が空気を勢いよく吸い込む現象をよく知っているので、そこからヒントを得て、太陽熱で以て空気を加熱し、その空気を煙突に流して、人工的に風を作って、その風の吸口から吸込む勢いで以て発電することを発想した。
それがどのくらい発電能力があるものか一応計算したのであるが、私の実際から予想していた発電効率が得られず、確信の行くものではなかった。しかしその当時、電波で以て私を覗かされていた太陽熱発電に関心のある多くの人々には大きな衝撃を与えたらしい。私は出願後強制的に入院させられ、出願書類を公報に載る前に盗られる程であった。
その後もずっと実際を表わす発電能力計算法は開発できないかと考え続けていた。そして平成６年になって、煙突の流れは同体積の外気と内気の差の重さが自然落下する現象ではないかと考えるようになった。物体が浮力によって上昇する速度がどうなるかどうしても解からなかったのである。それを１２月１２日付で「太陽熱風力発電装置」として出願した。
しかし、それにも私は確固たる自信は持てず、新しい道を開きたいと常に考えていたが、その当時も今と同じように次から次に今から思うと余り値打ちのないものを発想し出願していたのであるが、それにも時間を取られるし、どうしてもこれだと言うものが考え出せなかった。しかしその当時も電波で覗かされている多くの人が私の発想を盗って、それを完成することが期待されたのであろう、また私は強制入院させられる羽目に陥ってしまった。その当時の着想の一に「楽器を使えない人でも声で入力するなどすると楽譜になって現れそれを編集できる機械」は出来ないかと言うのがあった。恐らくそれを出しに使ってであったのであろう。しかし、誰もその期待に応える者はなかったと見えて、政府も今日まで新エネルギー開発の一に加えると言うこともなく、太陽熱風力発電は公式的には全く無視されてきた。
そして、平成１３年になって、また「太陽熱風力発電装置」に取り組みだし、大学や製鉄会社とか重工会社などに私の論建てに対して研究批判をお願いしたが、ＮＫＫを除いては真摯な返事は貰えなかった。
平成１３年４月３日付のＮＫＫの返事によると、煙突の流れは浮力によって生じ、その浮力は、同体積の外気と内気の差の重さ（質量と重力加速度の積）であって、煙突の内気に働くのであり、それは（Ａｏ−Ａｉ）×ｇ＝Ａｉ×ａで表わされ、そのａを以て煙突の流れと言う等加速度直線運動における速度Ｖを算出する加速度としている。即ちＶ＝（２×Ｈ×ａ）１／２＝（２×Ｈ×ｇ×（Ａｏ−Ａｉ）／Ａｉ）１／２としている。この場合、Ａｉは内気の質量、Ａｏは外気の質量、ｇは重力加速度である。
この考え方は特に新しいものではなく、私が、昭和５７年８月１０日付出願の「空気力発電システム（８頁）」において、Ｖ＝（２×（Ｐｂ−Ｐａ）／ρ）１／２（Ｐａは外気の圧力、Ｐｂは内気の圧力、ρは内気の密度である）として用いたものと全く同じである。即ち、それは、Ｐａ＝Ａｏ×Ｈ×Ｓ×ｇ／Ｓ、Ｐｂ＝Ａｉ×Ｈ×Ｓ×ｇ／Ｓ、ρ＝Ａｉであるから、（２×（Ａｏ×Ｈ×Ｓ×ｇ／Ｓ−Ａｉ×Ｈ×Ｓ×ｇ／Ｓ）÷Ａｉ）１／２＝（２×Ｈ×ｇ×（Ａｏ−Ａｉ）／Ａｉ）１／２となるからである。
そして、そのＶは、Ａｉ＝Ｋｏ／Ｋｉ×Ａｏから、Ｖ＝（２×Ｈ×ｇ×（Ｋｉ−Ｋｏ）／Ｋｏ）１／２となることになる。
この従来の煙突の流速の求め方はどういうことを意味するかと言うと、今、加熱入力は、Ｋｉ＝Ｋｏ＋Ｔによるのであるから、Ｔに相当する加熱が必要であるのに対し、速度出力は、（（Ｋｉ−Ｋｏ）／Ｋｏ）１／２＝（Ｔ／Ｋｏ）１／２によることとなり、Ｔ上げるのに必要である加熱入力の何分の一しか出力しないことになる。
従って、この流速計算法を用いると、超高聳な煙突が必要となり、また莫大な加熱を必要とし、そのために途轍もない広大な加熱面積を必要とすることになり、とても採算に乗るものとはならなかった。ＮＫＫも全く同じ結果を導き、有効性が認められないので、共同研究の対象にならないと断ってきた。
しかし、そのＮＫＫの返事には、上記したように、「密度Ａｉの気体に浮力が掛かることにより、気体は加速される」とあるので、わたしは物理の参考書を繰ってみて、運動の第二法則Ｆ＝ｍ×ａにおける力Ｆを浮力と見ていることが判った。そして、それから等加速度直線運動の公式、ｘ＝１／２×ａ×ｔ２、ｖ＝ａ×ｔを経て、流速Ｖを導いており、私が過去において計算して出したものと同じ結果になっていることが判った。
従って、先ずここは、どうしても、浮力とは何を言うのかを知らねばならないと思った。
【０００３】
［発明が解決しようとする課題］
そこで、「浮力とは、静止した流体中にある物体は、それが排除した流体の重さに等しい力で、流体から鉛直に押し上げられる（「要訣物理（文英堂・１９５３年）」）」現象であることを知った。即ち私が過去に用いた煙突の公式やＮＫＫが用いている同体積の外気と内気の差の重さや圧力差が浮力として内気に働くのではなく、内気と同体積の外気の重さそのものが浮力として働くことに気付いた。そこで、この浮力の正しい理解で以て煙突の流速を、そしてそれから運動エネルギー即ち発電エネルギーを、そして加熱に必要な面積を実際的に下記のように計算してみて、これまで、幾度も挑戦し、そしてどなたに頼んでも、これは行けると計算できず亦してもらえなかった「太陽熱風力発電装置」の正しいと思える理論化にもう一度挑戦する次第である。
Ａｏ＝Ａ×Ｋ／Ｋｏ、Ａｉ＝Ａ×Ｋ／Ｋｉ、Ａｉ＝Ａｏ×Ｋｏ／Ｋｉ
Ｆ＝ｍ×ａ、Ｆ＝Ａｏ×ｇ、ｍ＝Ａｉ、Ａｏ×ｇ＝Ａｉ×ａ、ａ＝ｇ×Ａｏ／Ａｉ＝ｇ×Ｋｉ／Ｋｏ
Ｈ＝１／２×ａ×Ｔ２、Ｖ＝ａ×Ｔ
Ｖ＝（２×Ｈ×ａ）１／２＝（２×Ｈ×ｇ×Ｋｉ／Ｋｏ）１／２
Ｍ＝Ｖ×Ｓ×Ａｉ
Ｅ＝１／２×Ｍ×Ｖ２＝１／２×Ａｉ×Ｓ×Ｖ３＝１／２×Ａｉ×Ｓ×（２×Ｈ×ｇ×Ｋｉ／Ｋｏ）３／２
Ｑ＝Ｍ×ｃ×（Ｋｉ−Ｋｏ）＝Ａｉ×Ｖ×Ｓ×ｃ×（Ｋｉ−Ｋｏ）
Ｅ／Ｑ＝１／２×Ｍ×Ｖ２÷〔Ｍ×ｃ×（Ｋｉ−Ｋｏ）〕＝１／２×Ｖ２÷〔ｃ×（Ｋｉ−Ｋｏ）〕＝Ｈ×ｇ×Ｋｉ／Ｋｏ÷〔ｃ×（Ｋｉ−Ｋｏ）〕
上記の計算式で以て、煙突の高さ３５０ｍ、外気の温度２０度Ｃを３０度Ｃに加熱する場合の発電能力とそれに要する加熱面積をそして発電原価を概観してみる。
Ｅ＝１／２×１．２９３Ｋｇ／ｍ３×２７３／３０３×１００ｍ２×（２×３５０ｍ×９．８０７ｍ／ｓ２×３０３／２９３）３／２＝３４８４１９４４Ｗ
Ｓ＝５０００００Ｋｗ÷３４８４１．９４４Ｋｗ×１００ｍ２＝１４３５．０５２ｍ２
Ｑ＝１．２９３Ｋｇ／ｍ３×２７３／３０３×（２×３５０ｍ×９．８０７ｍ／ｓ２×３０３／２９３）１／２×１４３５．０５２ｍ２×０．７２２ＫＪ／Ｋｇ×１０＝１０１７０１６．５Ｋｗ
Ｅ／Ｑ＝５０００００Ｋｗ÷１０１７０１６．５Ｋｗ＝０．４９１６＝４９．１６％
Ｙ＝Ｑ÷１Ｋｗ／ｍ２＝１０１７０１６．５Ｋｗ÷１Ｋｗ／ｍ２＝１０１７０１６．５ｍ２＝（１００８．４７ｍ）２
Ｖ×Ｓ／Ｙ＝８４．２５６７ｍ／ｓ×１４３５．０５２ｍ２／１０１７０１６．５ｍ２＝０．１１８９ｍ＝１１．９ｃｍ
そこで、上記の本発明の一例の建設費と発電量を概算し、そして発電原価を概算してみたい。今、建設用地を１ｍ２当たり２万円で取得造成するものとする。ところで、昭和３３年（１９５８年）に完成した、高さ３３３ｍの東京タワーは約４０００トンの鋼材を消費したと言う。現在、鋼材は１トン当たり４万５０００円くらいであるので、その鋼材費は、現在価格で１億８０００万円となる。これから推して３５０ｍの煙突の鋼材消費量は５倍の２万トンくらいではないかと想われ、その額は約９億円となる。現在自動車の販売価格はトン当たり１４０万円くらいであるので、煙突も鋼材費を含めてトン当たり１４０万円くらいでは建設できるのではないかと想われるので、その額は約２８０億円くらいになろう。そして、加熱器の建設費は基盤工事費を含めて、１ｍ２当たり３万円では建設できよう。従って、この発電所の総建設費は次のように計算できる。
煙突建設用地
３５０ｍ×３５０ｍ×２万円／ｍ２＝２４億５０００万円
煙突建設
２万ｔ×１４０万円／ｔ＝２８０億円
加熱器建設用地
１０１７０１６．５ｍ２×１．５×２万円／ｍ２＝３０５億１０５０万円
加熱器建設
１０１７０１６．５ｍ２×３万円／ｍ２＝３０５億１０５０万円
タービン発電機建設
１００億円
総建設費
１０１４億７１００万円
ところで、日照時間であるが、札幌でも年間１９６２時間あり、最長の松本では２３２２時間もあるので、平均的に見て、日本では２０００時間と見て多すぎることはあるまい。
そして耐用年数であるが、本発明には火力や原子力のような高温部分は全くないので、殆ど半永久的である。パリの３１２ｍのエッヘル塔は１８８９年に完成して今日まで１１３年経っているが、今でもびくともしない。そして、水力発電所で古いものは栃木県の１２７千Ｋｗの鬼怒川発電所で１９１２年に完成しているが、今日まで発電機を取り替えたと言う話は聞かない。発電機も亦１００年は優に持つ。
従って、本発明の耐用年数を１００年として計算しても永すぎると言うことはあるまい。
発電総量
５０万Ｋｗ×２０００ｈ／ｙ×１００ｙ＝１０００億Ｋｗｈ
発電原価
１０１５億円÷１０００億Ｋｗｈ＝１．０１５円／Ｋｗｈ
と、極めて安い。しかしこれは所謂理論値であって実際には各機械の効率で以て補正しなくてはならないことは勿論である。
水力発電所の実際の出力はＷ＝９．８・η′・η″・Ｑ・Ｈ（Ｋｗ）であると言う。Ｑは水量（ｍ３／ｓ）、Ｈは有効落差（ｍ）、η′は水車の効率（８０〜９０％）、η″は発電機の効率（９０〜９７％）である（「商品大辞典（４９頁）（東洋経済・１９８６年）」）。
そこで先ず、本発明のＨやＭと同じ値の３５０ｍの有効落差と１４０８６６Ｋｇ／ｓの水量の理論発電能力を見てみると、それは、Ｗ＝９．８ｍ／ｓ２×１４０８６６Ｋｇ／ｓ×３５０ｍ＝４８万３１７０Ｋｗとなり、本発明の５０万Ｋｗに極めて近く、逆説的に述べれば、同じような自然現象に基礎を置く、本発明における出力計算法は正しいと言える証になるのではなかろうか。
この水力発電の実際発電能力の計算式においては、水車と発電機の効率は考慮されているが、水を落下させる水圧管の摩擦係数などは問題とされていない。本発明の実際の出力計算においても、煙突の摩擦係数などは然して問題とする必要はないのではなかろうか。即ち、本発明の実際発電能力の計算においても、タービンと発電機の効率だけの補正で済むのではなかろうか。
そこで、両者の実際発電能力を計算してみると、水力発電では、４８万３１７０Ｋｗ×（８０〜９０％）×（９０〜９７％）＝３４万７８８３Ｋｗ〜４２万１８０７万Ｋｗとなり、本発明では、５０万Ｋｗ×（８０〜９０％）×（９０〜９７％）＝３６万Ｋｗ〜４３万６５００Ｋｗとなる。従って、本発明での実際発電能力の発電原価は、１０１５億円÷７２０〜８７３億Ｋｗｈ＝１．４１０円／Ｋｗｈ〜１．１６３円／Ｋｗｈとなることになる。
以上のように、３５０ｍの本発明でも、従来の発電方法では在りえなかった極めて発電効率の高い、また建設費の安い、勿論燃料の全く要らない、従って発電原価の考えられないほど安い発電を行なうことになる。
【０００４】
［発明を解決するための手段］
このように、私の長年の成果として研究開発した新しい煙突作動原理に基づいて設計建設される本発明は発電装置としては極めて画期的なものであると言える。本発明は「特許請求の範囲」に出来るだけ簡潔にまとめた積もりである。
【０００５】
［発明の実施の形態］
「０００３」において、煙突高３５０ｍ理論発電能力５０万Ｋｗのものに可能性があるかどうか概算してみたのであったが、その実用の可能性は十分であると認めることが出来ているので、それを本発明の実施形態の一として挙げたい。
【０００６】
［発明の効果］
第一次オイルショック後から今日までの２０数年間「太陽熱風力発電装置」と言う前人未踏の分野を発案し、その作動理論の開発に挑戦してきたが、ＮＫＫから学ぶところも有って、やっとこれはと言う発電能力の理論的計算方法に到達しえたと言えるのではないかと喜んでいる。
これからは多くの関係会社などの協力を得て、適当な規模のものを建設して、実際に私の理論通りの発電能力が得られるかどうか実証してみたい。
それと並行して、本発明の働かない時間や日の対策方法も研究開発しなくてはならない。蓄電池に蓄えることも考えられるが、私は水を電気分解して水素を採り、それで以て燃料電池で発電するのが一番好いのではないかと考えている。
平成６年１２月１２日出願の出願番号実願平６−１６９５０「太陽熱風力発電装置」の１７頁にあるように、水素は水から１秒間１アンペアの電気で１．０４４４の１０のマイナス５乗グラム採れる。この場合の電圧を１．５ボルトとすると、１Ｋｗｈで２５ｇの水素が採れることになる。燃料電池の発電効率は理論的には１００％であるが、実際的には現在のところ４０％くらいだと言われており、現在９電力の火力の発電効率が約３９％くらいであるので、両者には殆ど差はなく、燃料電池に殊更熱を上げるメリットはない。しかし、私は燃料電池に新しい構造のものを発案しており、それで行くと、発電効率を大幅に改善できるのではないかと楽しみにしている。
それでは、燃料電池を蓄電池として使う場合の発電効率はどうであろうか。１Ｋｗｈの電力量で２５ｇの水素が採れるのであった。では、燃料電池において、２５ｇの水素で一体何Ｋｗｈの電力量が採れるのであろうか。理論的には１Ｋｗｈの発熱量は８６０Ｋｃａｌである。そこで、水素の発熱量は３３８８８Ｋｃａｌ／Ｋｇであるから、８６０Ｋｃａｌ／Ｋｗｈ÷３３８８８Ｋｃａｌ／Ｋｇ＝２５．３８ｇ／Ｋｗｈを必要とすることになる。勿論、これは燃料電池が１００％の発電効率で稼動する場合においてである。
私の案のものでも７０％の発電効率しか出せないかも知れない。それだと、１Ｋｗｈ採るのに、２５．３８ｇ×１Ｋｗｈ／（１Ｋｗｈ×７０％）＝３６．２５ｇ必要とすることになる。この場合、燃料電池を蓄電のために使用したその蓄電効率は、１ｋｗｈ／３６．２５ｇ÷１ｋｗｈ／２５ｇ＝６８．９７％となる。
これは、鉛蓄電池の蓄電効率（出力電力量／入力電力量）約８０％に比べて劣るようであるが、鉛蓄電池は夜間の８時間分なら８時間分を蓄える容量のものが必要となり、非常に大規模のものが要るが、燃料電池なら、水素をタンクに８時間分蓄えて置き、１秒間に必要な電力量を発電するだけの大きさのものでよいので、比較にならないほど小型なもので済むことになり、コスト全体では極めて安く付く、即ち、全費用的な蓄電効率では断然有利である。
さて、現在、世界では年間１４兆４４２１億Ｋｗｈの発電が行なわれているが、今仮に、これを全て本発明の理論発電能力５０万Ｋｗ実際値３６万Ｋｗ〜４３万６５００Ｋｗで以て発電するとなると、１４兆４４２１億ｋｗｈ÷７．２億Ｋｗｈ〜８．７３億Ｋｗｈ＝２万００５８基〜１万６５４３基も必要となる。そして、１基１０１５億円で建設するとすれば、その建設費の総額は２０３５兆８８７０億円から１６７９兆１１４５億円にも上る。
そして、今日の世界の原油の使用量は３２億８３３９万トンであるが、これを行く行く全て本発明で採った水素で代替して行くとなると、原油は平均して１０８８２Ｋｃａｌ／Ｋｇの発熱量があり、水素は３３８８８Ｋｃａｌ／Ｋｇの発熱量があるので、３２億８３３９万ｔ（原油）×１０８８２千Ｋｃａｌ／ｔ（原油）÷３３８８８千Ｋｃａｌ／ｔ（水素）＝１０億５４３５万ｔ（水素）も必要となる。　これを採るに要する電気量はとなると、１Ｋｗｈで２５ｇ採れるのであったから、１０億５４３５万ｔ÷２５ｔ／１００万Ｋｗｈ＝４２兆１７４０億Ｋｗｈにも上る。
そして、これに要する本発明の理論発電能力５０万Ｋｗ実際値３６万〜４３万６５００Ｋｗの発電所が、４２兆１７４０億Ｋｗｈ÷７．２億Ｋｗｈ〜８．７３億Ｋｗｈ＝５万８５７５基〜４万８３０９基も必要である。
そして、その建設費の総額は、１基１０１５億円とすれば、５９４５兆３６２５億円〜４９０３兆３９１８億円にも上る。
こう言うエネルギー革命を推し進めていく過程では、エンジン一つを取り上げてみても判るように、世界経済の各分野の隅々にまで、物凄い経済効果が波及し、世界は歴史上曾て見なかった大経済発展期を迎えることになる。
今の今まで、この地球上には太陽熱の有効な利用法は在りえず、従ってエネルギー革命を招くことは出来ず、人類はエネルギーの行き詰まりから、全く夢も希望もない分配主義中心の経済に向かわざるを得ないと想われていた。
しかし、本発明に権威在る実証がなされ、エネルギー供給の中心が本発明に移るようになると、今の今まで世界を覆っていた悲観主義は一度に払拭され、楽観主義に変革して行くことになる。
それにしても、世界には、燃料や電力が乏しくて、経済発展を絶望視せざるをえない状態にある国や民族は現在でも極めて多い。これらの国や民族に十分にエネルギーを提供するとなると、その規模は、今上記したようなものではない。
本発明によって、それらの国や民族も大いなる夢と希望が持て、確かな明日を信ずることが出来るようになる。２０数年来の私の夢と希望であった。
自分の生命と財産を互いに保守し成長させたいと言う希望は人間なら誰しも持つ本能であり、その希望を自己の生命の延長である子孫に受け継いで貰いたいと言うのも人間の本能である。若し人々がそれに気付くならば、人々は常に自分に対すると同様に他人に対しても生命と財産の安全を保障するようになる。
それを経済において少しでも上手に生存し得るには、物資やサービスを常に上等に安価に然も適正規模で提供することは勿論であるが、その市場を他からの略奪に頼るのではなく自らが開拓する努力をすることが大切である。
市場は物資やサービスの交換の場であり、自らは提供しえても、交換の相手が交換しうるものを提供しえない場合には成り立たない。即ち需要者を開拓し育成する努力もなくては、自らも永遠な市場を持ちえない。この法則を本能的にも理論的にも持ちうる者は、企業の所有権と経営権と言う永遠の生活権を持ち相続させうるが、その代わり、交代と言うことは許されず、常に破産の恐怖の回避に全力を傾けざるを得ないため、市場での一時の略奪を戒め、働く人や交易相手を公正に尊重せざるを得ない「資本家」であって、交代で全てを水に流せる経営者では決してない。
従って、ここ一世紀近くに渡って展開されてきた民主主義と言う水平平等同和主義に立った一時的一稼ぎ主義者によって、今や根絶されんとしている「資本家」が、過去何次かの産業革命期のように、又もや勃興し、主導権を握るようにならなくては、日本にも亦広く人類にも、安定した幸福は望めないと言うのがこの所の私の主張であり、それを資本主義ではなく「資本家主義」と呼んでいる。
私は、今日のように資本家を殺して政治家を含めた経営者の天国に造り替えたものの一つは、ピープルキャピタリズムと言う株式による資金調達法であると思っている。株式資本は債務資本のような返済義務が全くないので、株式による資金調達を経営者の思いのままにすると、経営に安全装置が全く効かなくなり、上述したような公正さと適正規模を全く忘れた一時的一稼ぎ主義を可能にする。しかし、借入資本には経営の景気変動が殆ど反映しない。従って、投資家の読みや才覚が生きることが殆ど要求されなく、味がない。どうしても、企業経営には投資家を呼び込むために株式に依らざるを得ないと言うところがある。
安定経営を旨とする資本家が経営権を失うことなく、この株式の魅力による資金調達が可能になれば、今日のような資本家企業の滅亡は食い止められ、逆に復興するに違いない。
そこで、私は「株式抵当証券」と言うものによる資金調達法を思い付いた。即ち、株式を担保に抵当権を設定した機関が株式の収益権のみを化体した証券を売り出し、流通させるのである。これによって、今日、極点に達している株式投資の民主化に実質的に応えられ、また資本家の経営権の防衛に資し、そして株式の発行規模の適正化・安定化が資本家の持つ自動安全化作用によって必然的に図られることになるに違いない。
アメリカの企業家であり教育者・詩人であったサムエル・ウルマンは、彼の詩「ユース（青春）」において次のように言っている。「青春とは人生の一時期を言うのではなく、心の持ち方を言うのだ。逞しき意志、優れた創造力、炎ゆる情熱、怯懦を挫く勇猛心、安易を脱する冒険心、こう言う心の持ち方こそ大切である。十七歳であろうと七十歳であろうと、理想と情熱を失うときこそ老いが在る」（「青春という名の詩（産業能率大学出版部・１９８７年）」から）。
今日の日本はこの詩にある青春を失っている。民権が形となって１１２年を重ねただけでは国は老いない。理想と情熱を失っているからこそ老いが目立っているのである。今こそ確実な経済発展の基盤を創造し、国民一人一人に理想と希望と情熱を訴えうる国家にならないと、日本にも確実に老衰が来る。
本発明の実証こそ日本のそして世界の青春を約束することになる。多くの優秀な研究者に炎ゆる情熱と安易を挫く勇猛心を期待して止まない。
もう一度ウルマンの詩を掲げ、それを水平民主主義の人々に贈って置きたい。「わたしは荊のない道は求めない。人生のどんなところでも、気を付けて耕せば、豊かな稔りをもたらすものが、手の届く範囲に沢山ある」。